(57)【特許請求の範囲】
【請求項１】
拡大側から順に、縮小側に凹面を向け、両面に非球面を有し、かつプラスチックからなる負の第１レンズ、縮小側に凹面を向けた負の第２レンズ、正の第３レンズ、および負の第４レンズを配列してなる、全体として負の第１レンズ群と、拡大側から順に、縮小側に凸面を向け、非球面を有し、かつプラスチックからなる正の第５レンズ、負の第６レンズ、縮小側に凸面を向けた正の第７レンズ、および縮小側に凸面を向けた正の第８レンズを配列してなる、全体として正の第２レンズ群とが拡大側からこの順に配列されてなり、以下の各条件式（１）〜（７）を満足するように構成されてなることを特徴とするレトロフォーカス型レンズ。
（１）  −２．５＜Ｆ1／Ｆ5＜−０．３
（２）  −２．８＜ＦＧ1／ＦＧ2＜−１．０
（３）    ０．２＜Ｈ／ＦＧ2＜０．７５
（４）    ０．０＜Ａ（１）
（５）    ０．０＜Ａ（２）
（６）    ２８＜ν4＜５５
（７）    ５８＜ν7
ここで、
Ｆ1    ：第１レンズの焦点距離
Ｆ5    ：第５レンズの焦点距離
ＦＧ1  ：第１レンズ群の焦点距離
ＦＧ2  ：第２レンズ群の焦点距離
Ｈ      ：第２レンズ群拡大側の主点距離
Ａ（１）：第１レンズ拡大側の面の４次項の非球面係数
Ａ（２）：第１レンズ縮小側の面の４次項の非球面係数
ν4    ：第４レンズアッベ数
ν7    ：第７レンズアッベ数
【発明の詳細な説明】
【０００１】
【発明の属する技術分野】
本発明は、一般に、ＣＣＤや撮像管などの撮像素子あるいは銀塩フィルムなどを用いたカメラの結像レンズや、投射型テレビの投影レンズに用いられるレトロフォーカス型レンズに関し、特に、液晶表示パネルを用いた投射型テレビの投影レンズとして好適なレトロフォーカス型レンズに関する。
【０００２】
【従来の技術】
従来より、広角で、長いバックフォーカスを必要とする場合に、負の屈折力を有する前群と正の屈折力を有する後群とからなる、レトロフォーカス型レンズが用いられているが、このようなレトロフォーカス型レンズでは、より広角にしようとすると歪曲収差が大きくなるため、拡大側のレンズに非球面を用いることで収差補正を行うようにしている。
ところで、上記非球面レンズとしては、ガラスよりなる非球面レンズが高価であるため、プラスチックよりなる非球面レンズを用いて製造コストの低廉化が図られている。
【０００３】
【発明が解決しようとする課題】
しかしながら、プラスチックレンズは温度変化に伴う焦点位置の変化や結像性能の劣化が大きいという問題があり、また、プラスチックレンズはガラスレンズに比べ、使用できる材料の屈折率や分散の面で大きな制約を有しているため、広角レンズでは難しくなる倍率色収差の補正がさらに困難となるという問題がある。
本発明はこのような事情に鑑みなされたもので、プラスチックからなる非球面レンズを用いたレトロフォーカス型レンズにおいて、歪曲収差等の諸収差を補正しつつプラスチックレンズの温度変化による影響を排除し得るレトロフォーカス型レンズを提供することを目的とするものである。
【０００４】
また、特に液晶パネルを用いた投射型テレビに使用される投影レンズ等における周辺光量の低下の問題を解決し得るレトロフォーカス型レンズを提供することを目的とするものである。
【０００５】
【課題を解決するための手段】
本発明のレトロフォーカス型レンズは、拡大側から順に、縮小側に凹面を向け、両面に非球面を有し、かつプラスチックからなる負の第１レンズ、縮小側に凹面を向けた負の第２レンズ、正の第３レンズ、および負の第４レンズを配列してなる、全体として負の第１レンズ群と、拡大側から順に、縮小側に凸面を向け、非球面を有し、かつプラスチックからなる正の第５レンズ、負の第６レンズ、縮小側に凸面を向けた正の第７レンズ、および縮小側に凸面を向けた正の第８レンズを配列してなる、全体として正の第２レンズ群とが拡大側からこの順に配列されてなり、以下の各条件式（１）〜（７）を満足するように構成されてなることを特徴とするものである。
【０００６】
（１）  −２．５＜Ｆ1／Ｆ5＜−０．３
（２）  −２．８＜ＦＧ1／ＦＧ2＜−１．０
（３）    ０．２＜Ｈ／ＦＧ2＜０．７５
（４）    ０．０＜Ａ（１）
（５）    ０．０＜Ａ（２）
（６）    ２８＜ν4＜５５
（７）    ５８＜ν7
ここで、
Ｆ1    ：第１レンズの焦点距離
Ｆ5    ：第５レンズの焦点距離
ＦＧ1  ：第１レンズ群の焦点距離
ＦＧ2  ：第２レンズ群の焦点距離
Ｈ    ：第２レンズ群拡大側の主点距離
Ａ（１）：第１レンズ拡大側の面の４次項の非球面係数
Ａ（２）：第１レンズ縮小側の面の４次項の非球面係数
ν4    ：第４レンズアッベ数
ν7    ：第７レンズアッベ数
【０００７】
なお、本発明のレトロフォーカス型レンズにおいて、上記「第２レンズ群拡大側の主点距離」とは、第２レンズ群の最も拡大側レンズ面の面頂点から第２レンズ群の拡大側主点までの距離を表すものである。
【０００８】
【発明の実施の形態】
以下、本発明の実施例について図面を用いて説明する。なお、以下に３つの実施例について具体的に説明するが、各実施例に各々対応する図面の説明において同一の要素については同一の符号を付し、重複する説明については省略する。
【０００９】
＜実施例１＞
この実施例１のレトロフォーカス型レンズは、図１に示すように、拡大側から、負の第１レンズＬ1、負の第２レンズＬ2、正の第３レンズＬ3および負の第４レンズＬ4をこの順に配列してなる第１レンズ群と、
拡大側から、正の第５レンズＬ5、負の第６レンズＬ6、正の第７レンズＬ7および正の第８レンズＬ8をこの順に配列してなる第２レンズ群とが、拡大側からこの順に配列されてなり、
かつ下記条件式（１）〜（７）を満足するように構成されてなる。
【００１０】
（１）  −２．５＜Ｆ1／Ｆ5＜−０．３
（２）  −２．８＜ＦＧ1／ＦＧ2＜−１．０
（３）  ０．２＜Ｈ／ＦＧ2＜０．７５
（４）  ０．０＜Ａ（１）
（５）  ０．０＜Ａ（２）
（６）  ２８＜ν4＜５５
（７）  ５８＜ν7
ここで、  Ｆ1：第１レンズの焦点距離
Ｆ5：第５レンズの焦点距離
ＦＧ1：第１レンズ群の焦点距離
ＦＧ2：第２レンズ群の焦点距離
Ｈ：第２レンズ群拡大側の主点距離
Ａ（１）：第１レンズ拡大側の面の４次項の非球面係数
Ａ（２）：第１レンズ縮小側の面の４次項の非球面係数
ν4：第４レンズアッベ数
ν7：第７レンズアッベ数
【００１１】
なお、第３レンズＬ3と第４レンズＬ4、および第６レンズＬ6と第７レンズＬ7は接合されている。
なお、拡大側から光軸Ｘに沿って入射した光束はＣＣＤ結像面１上の結像位置Ｐに結像される。また、レンズ系の縮小側（結像面側）には色分解プリズム、赤外光をカットするフィルタやローパスフィルタ２が配されている。
ここで、第１レンズＬ1は縮小側に凹面を向け、両面に非球面を有し、かつプラスチックからなる負のメニスカスレンズ、第２レンズＬ2は縮小側に凹面を向けた負のメニスカスレンズ、第３レンズＬ3は縮小側に強い曲率の面を向けた両凸レンズ、第４レンズＬ4は拡大側に強い曲率の面を向けた両凹レンズ、第５レンズＬ5は縮小側に凸面を向け、非球面を有し、かつプラスチックからなる正のメニスカスレンズ、第６レンズＬ6は縮小側に強い曲率の面を向けた両凹レンズ、第７レンズＬ7および第８レンズＬ8は縮小側に強い曲率の面を向けた両凸レンズである。
【００１２】
これら各条件式（１）〜（７）は以下の如き理由により規定されている。
すなわち、条件式（１）の上限、下限のどちらを越えても、第１レンズＬ1と、第５レンズＬ5の２つのプラスチックレンズのパワーのバランスがとれなくなるため、温度変化に伴う焦点位置変化や結像性能劣化が大きくなってしまう。
また、条件式（２）の上限を越えると、第１レンズ群のパワーが強まり、第２レンズ群での光線高が上がり過ぎるため、収差補正が難しくなる。一方、下限を越えると、第１レンズ群のパワーが弱まり、縮小側レンズ面から焦点位置間の距離が短くなったり、第１レンズ群の拡大側レンズの径が大きくなってしまう。
【００１３】
また、条件式（３）は諸収差を補正しつつ、系の縮小側をテレセントリックな構成に保つもので上限、下限のどちらを越えても収差補正が困難になる。
また、条件式（４）および（５）の下限を越えると、歪曲収差を補正することが難しくなる。
また、条件式（６）の上限、下限どちらを越えても、倍率色収差と軸上色収差をバランス良く補正することが困難となる。
さらに、条件式（７）の下限を越えると、倍率色収差が補正不足となる。
なお、本実施例では、上述した条件式（１）〜（７）は全て満足されており、各々の値は表４に示す如く設定されている。
【００１４】
この実施例１における各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νを下記表１に示す。
【００１５】
ただし、この表１および後述する表２、表３において、各記号Ｒ，Ｄ，Ｎ,νに対応させた数字は拡大側から順次増加するようになっている。また、Ｒ1,Ｒ2,Ｒ8,Ｒ9は、下記式（Ａ）により表される非球面であり、その光軸上の曲率半径については表１に示される値となっている。（以下に示す表２、表３についても同じ）。
Ｚ＝ＣRＹ2／｛１＋（１−ＫＣR2Ｙ2）1/2｝
＋ＡＹ4＋ＢＹ6＋ＣＹ8＋ＤＹ10                  （Ａ）
ただし、Ｚ：光軸からの高さＹの非球面上の点より、非球面頂点の接平面
（光軸に垂直な平面）に下ろした垂線の長さ（ｍｍ）
ＣR：非球面の近軸曲率（光軸上の曲率半径（Ｒi）の逆数）
Ｙ：光軸からの高さ（ｍｍ）
Ｋ：離心率
Ａ,Ｂ,Ｃ,Ｄ：第４，６，８，１０次の非球面係数
なお、表１の下段に第１、２、８、９面の非球面係数Ａ,Ｂ,Ｃ,Ｄおよび離心率Ｋを示す。
【００１６】
【表１】
0003625923.tif 000002
【００１７】
また、この実施例１におけるレンズのＦナンバおよび半画角ωは各々2.53および41.6°である。
【００１８】
＜実施例２＞
実施例２のレトロフォーカス型レンズについて図２を用いて説明する。
この実施例２のレンズは、上記実施例１のレンズとほぼ同様のレンズ構成とされているが、主として、第３レンズＬ3と第４レンズＬ4が互いに離れている点で上記実施例１のものとは異なっている。
なお、前述した条件式（１）〜（７）は全て満足されており、各々の値は表４に示す如く設定されている。
【００１９】
この実施例２における各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νを下記表２に示す。なお、表２の下段に第１、２、９、１０面の非球面係数Ａ，Ｂ，Ｃ，Ｄおよび離心率Ｋを示す。
【００２０】
【表２】
0003625923.tif 000003
【００２１】
また、この実施例２におけるレンズのＦナンバおよび半画角ωは各々2.53および41.6°である。
【００２２】
＜実施例３＞
実施例３のレトロフォーカス型レンズについて図３を用いて説明する。
この実施例３のレンズは、上記実施例１のレンズとほぼ同様のレンズ構成とされている。
なお、前述した条件式（１）〜（７）は全て満足されており、各々の値は表４に示す如く設定されている。
この実施例３における各レンズ面の曲率半径Ｒ（ｍｍ）、各レンズの中心厚および各レンズ間の空気間隔Ｄ（ｍｍ）、各レンズのｄ線における、屈折率Ｎおよびアッベ数νを下記表３に示す。なお、表３の下段に第１、２、８、９面の非球面係数Ａ,Ｂ,Ｃ,Ｄおよび離心率Ｋを示す。
【００２３】
【表３】
0003625923.tif 000004
【００２４】
また、この実施例３におけるレンズのＦナンバおよび半画角ωは各々2.53および41.5°である。
【００２５】
なお、上記実施例１〜３に対応させてその各収差図（球面収差、非点収差、ディストーションおよび倍率色収差の収差図）を各々図４〜６に示す。なお、この収差図においてωは半画角を示す。これら図４〜６から明らかなように、上述した各実施例によれば、前述した各収差を全て良好なものとすることができる。
また、各球面収差図においては、ｄ線、Ｆ線およびＣ線に対する収差が、また各倍率色収差図においてはｄ線に対するＦ線およびＣ線の収差が示されている。さらに、各非点収差図には、サジタル（Ｓ）像面およびタンジェンシャル（Ｔ）像面に対する収差が示されている。
【００２６】
なお、本発明のレトロフォーカス型レンズとしては、上記実施例のものに限られるものではなく種々の態様の変更が可能であり、例えば各レンズの曲率Ｒおよびレンズ間隔（もしくはレンズ厚）Ｄを適宜変更することが可能である。
なお、上記実施例においては、本発明レンズを結像レンズとして用いているが、本発明のレトロフォーカス型レンズの使用態様はこれに限られるものではなく投射型テレビの投影レンズ等として用いる場合にも同様の効果を得ることができる。
【００２７】
【表４】
0003625923.tif 000005
【００２８】
【発明の効果】
以上、詳細に説明した通り、本発明のレトロフォーカス型レンズによれば、所定のレンズのレンズ面を非球面とし、かつこのレンズをプラスチックで形成しつつも、歪曲収差等の収差の補正を良好とすることができ、さらに、プラスチックレンズの温度変化に伴う影響を抑制することができる。
また、縮小側をテレセントリックな系とすることができ、特に液晶表示パネルを用いた投射型テレビ等の投影レンズで問題となる周辺光量の低下を防止することができる。
【図面の簡単な説明】
【図１】本発明の実施例１に係るレンズ基本構成を示す概略図
【図２】本発明の実施例２に係るレンズ基本構成を示す概略図
【図３】本発明の実施例３に係るレンズ基本構成を示す概略図
【図４】実施例１に係るレンズの各収差図
【図５】実施例２に係るレンズの各収差図
【図６】実施例３に係るレンズの各収差図
【符号の説明】
Ｌ1〜Ｌ8    レンズ
Ｒ1〜Ｒ17    レンズ面あるいはフィルタ面の曲率半径
Ｄ1〜Ｄ16    レンズ面間隔（レンズ厚）
Ｘ          光軸
Ｐ          結像位置
１          ＣＣＤ結像面
２          赤外光カットフィルタ（ローパスフィルタ）
【図１】
0003625923.tif 000006
【図２】
0003625923.tif 000007
【図３】
0003625923.tif 000008
【図４】
0003625923.tif 000009
【図５】
0003625923.tif 000010
【図６】
0003625923.tif 000011